(57)【要約】  オーバヘッドバンド３と表示部アーム４との相対角度を検出する角度検出器が設けられている。通常、オーバヘッドバンド３は頭頂部方向を向いて装着されるので、この角度検出器は、表示部アーム４と頭頂部方向との角度を検出する。この角度を、「表示部の角度」と称する。表示部の角度が１００°〜１５０°にあるときのみ、表示部５に映像を表示する。この状態では、映像観察中に、表示部５に前方から物体がぶつかっても、押された表示部５は頬骨にぶつかり、眼球にはぶつかりにくいので、眼を痛める可能が低くなる。
2007145122.tif 000002
【特許請求の範囲】
【請求項１】
頭部に装着して、表示される映像を観察する映像表示装置であって、当該映像表示装置を頭部に固定するための２つの固定部と、前記固定部を連結する連結部と、前記固定部の一つに、当該固定部に対して回動可能に支持された支持アームと、当該支持アームの先端部に設けられ、使用者の眼に映像を表示する表示部とを有し、前記支持アームと当該映像表示装置の装着時の頭頂部方向とのなす角度が、１００°〜１５０°の範囲にあるときのみ、映像を表示することを特徴とする映像表示装置。
【請求項２】
頭部に装着して、表示される映像を観察する映像表示装置であって、当該映像表示装置を頭部に固定するための２つの固定部と、前記固定部を連結する連結部と、前記固定部の一つに、当該固定部に対して回動可能に支持された支持アームと、当該支持アームの先端部に設けられ、使用者の眼に映像を表示する表示部とを有し、前記支持アームと当該映像表示装置の装着時の頭頂部方向とのなす角度が、８０°以上１００°未満の範囲にあるときに、警告を発し、その後所定の入力があったときにのみ映像を表示することを特徴とする映像表示装置。
【発明の詳細な説明】
【技術分野】
【０００１】
本発明は、映像表示装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１公報（特許文献１）に記載されている。【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。【０００４】
このようなヘッドマウントディスプレイの概要を図１に示す。このヘッドマウントディスプレイ１においては、２つのヘッドホーンハウジング２がオーバヘッドバンド３によって連結されている。オーバヘッドバンド３は、弾力性を有し、ヘッドマウントディスプレイ１を装着するときには、ヘッドホーンハウジング２を両耳位置に位置させ、オーバヘッドバンド３の弾力により、人間の頭部（耳部）をヘッドホーンハウジング２で挟んで固定する。すなわち、ヘッドホーンハウジング２が固定部であり、オーバヘッドバンド３が連結部である。装着時においては、図１に示すように、オーバヘッドバンド３が頭頂部方向を向くような位置で装着される。【０００５】
ヘッドホーンハウジング２には、表示部アーム４が、使用時において鉛直面内で回動可能に取り付けられており、その先端部に、使用者の眼に映像を表示する表示部５が取り付けられている。使用時には、図１に破線で示すように、表示部アーム４を回動させて表示部５を使用者の眼前に位置させ、映像を表示する。ヘッドホーンハウジング２には、外部からのケーブル６が接続されている。
【特許文献１】ＷＯ２００４／０６１５１９Ａ１公報
【発明の開示】
【発明が解決しようとする課題】
【０００６】
このようなヘッドマウントディスプレイを使用する場合、特に屋外で使用する場合においては、表示部５が前方の物体に衝突したときに、眼球に表示部５が接触し、眼球にダメージを与えることを防止するようにすることが好ましい。【０００７】
本発明はこのような事情に鑑みてなされたもので、使用状態において表示部が前方の物体に衝突したときに、表示部が眼球に接触しにくい映像表示装置を提供することを課題とする。
【課題を解決するための手段】
【０００８】
前記課題を解決するための第１の手段は、頭部に装着して、表示される映像を観察する映像表示装置であって、当該映像表示装置を頭部に固定するための２つの固定部と、前記固定部を連結する連結部と、前記固定部の一つに、当該固定部に対して回動可能に支持された支持アームと、当該支持アームの先端部に設けられ、使用者の眼に映像を表示する表示部とを有し、前記支持アームと当該映像表示装置の装着時の頭頂部方向とのなす角度が、１００°〜１５０°の範囲にあるときのみ、映像を表示することを特徴とする映像表示手段である。【０００９】
前記課題を解決するための第２の手段は、頭部に装着して、表示される映像を観察する映像表示装置であって、当該映像表示装置を頭部に固定するための２つの固定部と、前記固定部を連結する連結部と、前記固定部の一つに、当該固定部に対して回動可能に支持された支持アームと、当該支持アームの先端部に設けられ、使用者の眼に映像を表示する表示部とを有し、前記支持アームと当該映像表示装置の装着時の頭頂部方向とのなす角度が、８０°以上１００°未満の範囲にあるときに、警告を発し、その後所定の入力があったときにのみ映像を表示することを特徴とする映像表示手段である。
【発明の効果】
【００１０】
本発明によれば、使用状態において表示部が前方の物体に衝突したときに、表示部が眼球に接触しにくい映像表示装置を提供することができる。
【図面の簡単な説明】
【００１１】
【図１】ヘッドマウントディスプレイの概要を示す図である。
【図２】ヘッドマウントディスプレイを装着した状態を側面から見た図である。
【符号の説明】
【００１２】
１…ヘッドマウントディスプレイ、２…ヘッドホーンハウジング、３…オーバヘッドバンド、４…表示部アーム、５…表示部、６…ケーブル
【発明を実施するための最良の形態】
【００１３】
以下、本発明の実施の形態の例を説明するが、本実施の形態であるヘッドマウントディスプレイの構造は、従来のものと変わらず図１に示すものと同じであるので図１を引用してその構造の説明を省略する。図２は、このヘッドマウントディスプレイを装着した状態を側面から見た図である。【００１４】
この実施の形態においては、オーバヘッドバンド３と表示部アーム４との相対角度を検出する角度検出器（図示せず）が設けられている。通常、オーバヘッドバンド３は頭頂部方向を向いて装着されるので、この角度検出器は、表示部アーム４と頭頂部方向との角度を検出する。この角度を、「表示部の角度」と称することにする。【００１５】
この実施の形態においては、表示部５の角度が１００°〜１５０°にあるときのみ、表示部５に映像を表示する。よって、使用者は、少し眼球を下側に伏せた状態で表示部５に表示される映像を観察することになる。【００１６】
この状態では、映像観察中に、表示部５に前方から物体がぶつかっても、押された表示部５は頬骨にぶつかり、眼球にはぶつかりにくいので、眼を痛める可能が低くなる。又、一般には、眼の正面に映像を表示させるよりも、少し下側に表示させる方が映像を観察するときの眼の疲労が少ないので、この面からも、本実施の形態は好ましい。【００１７】
しかしながら、表示される映像への没入度を増すためには、表示部５を眼の正面に配置した方がよい。又、使用者が眼鏡をかけている状態等、表示部５に前方から物体が表示部５にぶつかっても、押された表示部５が直接眼球にぶつからないような場合がある。このような場合には、眼の正面に表示部５がある状態で映像を観察するようにしても問題は起こらない。【００１８】
よって、他の実施の形態では、表示部の角度が１００°〜１５０°にあるときには、前述のように無条件に表示部５に映像を表示するようにし、表示部の角度が８０°以上１００°未満の間にあるときには、使用者に警告を出し、その警告を確認した使用者からの所定の入力があった場合にのみ、映像を表示するようにしている。【００１９】
すなわち、表示部の角度が８０°以上１００°未満の間にあるときには、たとえば、「リラックス位置になります。周囲が安全な状況にあることを確認してください。」、「眼鏡装着者モードになります。眼鏡装着者以外の方は、周囲が安全な状況にあることを充分確認してください。」というような画像又は音声出力を行い、使用者が確認ボタンを押したときのみ、映像出力を行うようにする。確認ボタンが押されるまでは、警告を続行するようにする。なお、表示部の角度が８０°未満のとき、１５０°を超したときには、無条件に映像表示をオフとする。【００２０】
なお、以上説明した実施の形態は、片眼で映像を見るタイプのヘッドマウントディスプレイであったが、本発明は、両目で映像を見るタイプのヘッドマウントディスプレイにも適用することができる。
【図１】
2007145122.tif 000003
【図２】
2007145122.tif 000004
【国際調査報告】
2007145122.tif 000005
2007145122.tif 000006